(57)【要約】【課題】  ケーブルへの取付け作業性が良いケーブル識別具およびそのための工具を提供する。【解決手段】  ケーブルを挟み込んで把持するための鰐口形の開口部が設けられたクリップ形状の偏平なケーブル識別具を用いる。先端にケーブルを当て、ケーブル識別具の開口部を押し込む装着具によりこのケーブル識別具をケーブルに取り付ける。【選択図】    図１
2005135699.tif 000002
【特許請求の範囲】
【請求項１】
長手方向の一側面に開口部が形成されてコ字状に形成された溝が長手方向に設けられ、
この溝には取り付けられるケーブルの径に対応する凹みが形成され、
前記溝の開口部はその断面がテーパ状に開口された
ケーブル識別具。
【請求項２】
前記開口部の断面は開口の上下でそのテーパ形状の大きさが非対称に形成された請求項１記載のケーブル識別具。
【請求項３】
ケーブル識別具の一方の面には、短手方向に幅の異なる複数の凹状溝または凸状レールが設けられた請求項１または２記載のケーブル識別具。
【請求項４】
ケーブル識別具の一方の面には、短手方向にそれぞれ凹状溝または凸状レールがケーブル識別具の中心から非対称の位置に設けられた請求項１または２記載のケーブル識別具。
【請求項５】
ケーブル識別具を短手方向に連ねたとき、長手方向の端部に隣接するケーブル識別具との間に空隙が生ずるように両端部に切欠きあるいは曲面が形成された請求項１ないし４のいずれか記載のケーブル識別具。
【請求項６】
ケーブル径に対応する溝は、ケーブルを識別する符号が表示される表面側と裏面側とでは、表面側の凹みが小さく、裏面側は凹みが大きく形成された請求項１ないし５のいずれか記載のケーブル識別具。
【請求項７】
請求項１ないし６のいずれか記載のケーブル識別具をケーブルに取り付ける装着具であり、
開口部を先頭にしてケーブル識別具を複数収納する収納部と、先端部で固定されたケーブルに前記収納部の先頭のケーブル識別具を押し込むケーブル識別具押し出し機構とが設けられ、
前記先端部には、その左右端にケーブル識別具がケーブルに押し込まれたときにケーブルが動かないように規制する溝が設けられ、
先端部のケーブル識別具が押し込まれる位置には、前記左右端のケーブルを規制する溝位置まで突出し、ケーブル径より薄く形成された板状突起が設けられ、
この板状突起の上下に押し込まれたケーブル識別具がケーブルを挟み込む位置まで移動できる空間が設けられた
ケーブル識別具の装着具。
【請求項８】
ケーブルを先端部に当てたときに前記溝に挿入されたケーブルが露出しないようにケーブルを覆うカバーが設けられた請求項７記載のケーブル識別具の装着具。
【請求項９】
先端部の前記ケーブル識別具が移動できる空間には、押し込まれたケーブル識別具の押し出しが解除されたときに、ケーブル識別具を押し戻すバネ機構が設けられた請求項７記載のケーブル識別具の装着具。
【請求項１０】
前記収納部には、ケーブル識別具の一面に設けられた複数の凹状レールまたは凸状レールに嵌まり合う凸状または凹状レールが形成された請求項７ないし９のいずれか記載のケーブル識別具の装着具。
【請求項１１】
装着具のケーブルを固定する溝内にケーブルを固定し、この固定されたケーブルにケーブル識別具の開口部を向かい合わせ、前記ケーブル識別具をケーブルに押し付けて、前記ケーブルにケーブル識別具を取り付けるケーブル識別具の取付け方法。
【発明の詳細な説明】
【技術分野】
【０００１】
本発明は、通信用ケーブル、光ファイバケーブルなどに取付け、これらを識別するケーブルタグと称されるケーブル識別具およびケーブルへ取付けるための装着具ならびに取付け方法に関する。本発明は、局舎内でのＭＤＦ（主配線盤）あるいは集合住宅などに設けられるＭＤＦ、あるいは電柱に設けられる回線収容ボックスなど、多数のケーブルを収容する箇所でケーブルを識別するためにケーブルに取付けられて用いる場合に利用される。本発明は、特に軽量な光ファイバケーブルに取付ける場合に適する。
【背景技術】
【０００２】
局舎内で多数の回線が収容される局舎内のＭＤＦに集線作業を行う場合に、ケーブルを識別し、誤り接続を防止するためにそれぞれのケーブルにタグと称される識別具を取付けて集線作業を行っている。
【０００３】
これらのタグとしては、薄肉チューブにナンバーを印字し所定の長さにカットしたものをケーブルに通しておくタイプや、ケーブルの先端にコネクタがついたパッチコードを製作するときに、あらかじめ線に通しておくタイプなどがあり、このようなタイプは取り外しや取付けが難しく、作業性がよくない問題があった。また、荷札式の紐付きナンバータグのタイプもあったが、光ファイバケーブルに使用するには作業性がよくなく、また光ファイバケーブルに対する接触ダメージの問題もあった。
【０００４】
そこで、出願人は、光ファイバケーブルを識別するためのタグとして、簡単に取付けられ、また光ファイバケーブルに大きな応力が発生することがないケーブル識別具を特許文献１として提案した。
【特許文献１】特開２００３−１４１９４１
【発明の開示】
【発明が解決しようとする課題】
【０００５】
上記特許文献１として提案した光ファイバケーブル用のケーブル識別具は、手作業でケーブルに取付けることを前提としたものであり、工具を使用して取り付けるものではなかった。このため、多数のケーブルを収容する局舎内のＭＤＦでの集線配線作業において、多数の細いケーブルが集まったような場所で手作業でケーブル識別具をひとつひとつケーブルに取付けるのは、大変であり、作業効率が良くなかった。また、細い光ファイバケーブルに手作業で小さな識別具を誤りなく挟む作業は難しいものであった。また、光ファイバケーブルへのケーブル識別具の取付けにおいても光ファイバケーブルに大きな応力が働くことは光ファイバケーブルの特性上好ましいことではないので、大きな応力が生ずることなく取付けられるケーブル識別具およびそのための使い易い工具が求められていた。
【０００６】
本発明は、このような背景になされたものであり、ケーブルへの取付け作業が簡単に行うことができるケーブル識別具およびその装着具ならびに取付け方法を提供することを目的とする。また、本発明は、ケーブル識別具を複数内部に収容した装着具からケーブル識別具を押し出してケーブルに取り付けることにより、簡単でかつ効率よく、しかも他のケーブルに絡み合うことなく取り付けることができるケーブル識別具および装着具ならびに方法を提供することを目的とする。また、光ファイバケーブルに大きな応力を生じさせず、光ファイバケーブルの識別に適するケーブル識別具およびその装着具ならびに取付け方法を提供することを目的とする。
【課題を解決するための手段】
【０００７】
横に開口部が設けられ、いわゆる鰐口型の横方向に開口部が設けられたクリップ型のケーブル識別具を用いる。ケーブルが動かないよう規制機構が設けられた先端部にケーブルを固定し、この固定したケーブルにケーブル識別具の開口部を向かい合わせ、ケーブル識別具をケーブルに押し込む装着具を用いてケーブルに取り付ける。
【０００８】
すなわち、本発明の第一の観点は、ケーブル識別具であり、長手方向の一側面に開口部が形成されてコ字状に形成された溝が長手方向に設けられ、この溝には取り付けられるケーブルの径に対応する凹みが形成され、前記溝の開口部はその断面がテーパ状に開口されたことを特徴とする。
【０００９】
前記開口部の断面は開口の上下でそのテーパ形状の大きさが非対称に形成されたことが望ましい。また、ケーブル識別具の一方の面には、短手方向に幅の異なる複数の凹状溝または凸状レールが設けられることが望ましく、また、凹溝あるいは凸状レールが中心からの距離が異なるような非対称の位置に設けられることもできる。
【００１０】
さらに、ケーブル識別具を短手方向に連ねたとき、長手方向の端部に隣接するケーブル識別具との間に空隙が生ずるように両端部に切欠きあるいは曲面が形成されることが望ましい。また、ケーブル径に対応する溝は、ケーブルを識別する符号が表示される表面側と裏面側とでは、表面側の凹みが小さく、裏面側は凹みが大きく形成されることが望ましい。
【００１１】
本発明の第二の観点は、第一の観点のケーブル識別具をケーブルに取付けるための装着具であり、開口部を先頭にしてケーブル識別具を複数収納する収納部と、先端部で固定されたケーブルに前記収納部の先頭のケーブル識別具を押し込むケーブル識別具押し出し機構とが設けられ、前記先端部には、その左右端にケーブル識別具がケーブルに押し込まれたときにケーブルが動かないように規制する溝が設けられ、先端部のケーブル識別具が押し込まれる位置には、前記左右端のケーブルを規制する溝位置まで突出し、ケーブル径より薄く形成された板状突起が設けられ、この板状突起の上下に押し込まれたケーブル識別具がケーブルを挟み込む位置まで移動できる空間が設けられたことを特徴とする。
【００１２】
また、ケーブルを先端部に当てたときに前記溝に挿入されたケーブルが露出しないようにケーブルを覆うカバーが設けられることが望ましい。また、先端部の前記ケーブル識別具が移動できる空間には、押し込まれたケーブル識別具の押し出しが解除されたときに、ケーブル識別具を押し戻すバネ機構が設けられることが望ましい。
【００１３】
また、前記収納部には、ケーブル識別具の一面に設けられた複数の凹状レールまたは凸状レールに嵌まり合う凸状または凹状レールが形成されることが望ましい。
【００１４】
本発明の第三の観点は、ケーブルにケーブル識別具を取付ける方法であり、装着具のケーブルを固定する溝内にケーブルを固定し、この固定されたケーブルにケーブル識別具の開口部を向かい合わせ、前記ケーブル識別具をケーブルに押し付けて、前記ケーブルにケーブル識別具を取り付けることを特徴とする。
【発明の効果】
【００１５】
装着具の先端にケーブルを挟むように固定し、ケーブル識別具を押し出してケーブルに取り付けることができるので、作業効率が向上する。また多数のケーブルが集線された場所でも他のケーブルをかむことがなく、他のケーブルと絡み合うようなこともない。装着具にケーブル識別具を収納するときに、ケーブルの番号などの符号が印刷あるいは貼付された表面と裏面とを間違えることなく、また開口部が前面に出てくるようにケーブル識別具の形状と収納部とが形成されているので、ケーブル識別具が小さくても左右上下を誤ることがない。また、装着具にケーブルを固定しても動きが規制されており、また誤って途中で飛び出すことがないため、作業が容易であり、作業中の間違いの発生を減らすことができる。
【発明を実施するための最良の形態】
【００１６】
以下図面を参照して本発明の実施の形態を説明する。
【００１７】
図１は、本発明のケーブル識別具（ケーブルタグ）を示す図である。図１（ａ）は、ケーブルの番号などが表示される表面からみた図である。図１（ｂ）は、裏面からみた図である。図１（ｃ）は、ａ）の下側からみた図である。図１（ｄ）は図１（ａ）の右側面からみた図であり、図１（ｅ）は、中央部を図１（ａ）の右側からみた断面図を示す。
【００１８】
ケーブル識別具１は、偏平で全体として長めの亀甲型の形状となっている。例として、長手方向の長さが１２ｍｍ、短手方向の長さが６．３ｍｍであり、全体の厚さは２．２ｍｍに構成されている。長手方向の両端は、少し角度をつけた切欠きが形成されており、このケーブル識別具を短手方向に連続して並べたときに隣接するケーブル識別具と両端で空隙が発生するような形状となっている。これは、装着具の押し出し機構によりケーブル識別具の両端からひとつずつ押し出すときに次のケーブル識別具と分離しやすくするためである。また、この両端の形状は、隣接するケーブル識別具との間で装着具の押し出し機構が働くような構造であれば、全体として楕円形状や両端のみが細く形成された形状でもよい。また、押し出し機構が１個ずつ収納しているケーブル識別具を取り出す構造であれば、ケーブル識別具は矩形や長方形の構造であってもよい。
【００１９】
また、ケーブル識別具１の表面は平坦であり、その表面には、ケーブルを識別するための番号、符号などが印刷あるいは貼付によって表示される。一次元バーコードや二次元バーコードを印刷することもできる。図１（ａ）には一次元バーコードを印刷した例を表している。
【００２０】
ケーブル識別具１の材質は、弾性がある合成樹脂製であり、例えばポリカーボネート、ポリプロピレンなどが用いられる。このように柔軟性があり、かつ弾力性ある合成樹脂製のケーブル識別具を用いることで、特に応力が問題となる光ファイバケーブルにかかる負担が少なくなる利点がある。
【００２１】
裏面１２は、表面１１とは違って必ずしも平坦に形成されることはなく、短手方向に二つの溝（凹部）１２１、１２２が設けられている。この溝の幅ｗ１、ｗ２は異なる値となっており、例えばｗ１は１ｍｍであり、ｗ２は１．５ｍｍである。また、二つの溝はケーブル識別具１の中心からの位置も異なっており、溝１２１は、中心から１．７５ｍｍの位置に、溝１２２の位置は中心から１．２５ｍｍの位置に設けられている。二つの溝の深さは、０．５ｍｍに形成されている。この二つの溝の幅や位置がそれぞれ非対称であることにより、ケーブル識別具１の左右の方向が機械的に判別でき、また裏面にのみ溝が設けられていることにより、表裏の判別ができる。この溝の幅や位置の非対称性は単独でもケーブル識別具の左右の方向を識別することができる。この形状により、装着具にケーブル識別具を挿入するときに、表裏、左右が機械的に判別されるために、開口部がケーブルに対向するように挿入することができる。さらに装着具内でも溝に対応するレールを設けることで、装着具内でのケーブル識別具の回転を防止することができる。なお、この溝に代えて、凸状のレールの形状としても同様の効果が得られる。
【００２２】
ケーブル識別具１は、側面からみると全体としてケーブル径より幅が狭い溝２が長手方向に設けられており、断面はクリップの形態となって、その中央でケーブルを全体の弾性により把持する形状である。その開口部には、テーパ形状が形成されている。この開口部のテーパ形状は、溝２の裏面側と表面側とでは長さ（角度）が異なる形状に形成されており、裏面側のテーパ２２は長く（角度が小さく）、表面側のテーパ２１は短く（角度が大きく）形成されている。このように、開口部のテーパ形状が異なるため、ケーブルに装着したときに、他のケーブルにかみ合うことがなく、多数のケーブルが集線されるようなところでの作業においても他のケーブルと絡み合うことがない。
【００２３】
また、溝２のほぼ中央部にケーブル３を挟み込むように上下にそれぞれ凹部２３、２４が設けられている。凹部２３、２４は、表面側と裏面側とで深さが異なって形成されており、表面側の凹部２３は浅く、裏面側の凹部２４は深めに形成されている。これは、表面と裏面とを識別するためでもあり、またケーブルを識別するための表示がなされる表面は平坦に形成されることが望ましく、できるだけ凹部を浅く形成することがよいためである。
【００２４】
なお、このケーブル３を挟み込む凹部の形状は、図１（ｅ）では、ケーブルの径に沿った曲面としたが、図１（ｆ）に示すように、平坦な凹部としてもよい。収容するケーブルは、光ファイバケーブルであり、ケーブル識別具により応力が発生することは好ましくないため、ケーブル３との接触面を小さくするような凹部としてもよい。
【００２５】
図２は、このようなケーブル識別具１をケーブル３に取付けた状態を示す図である。
【００２６】
図３は、図１に示すケーブル識別具１をケーブル３に取り付ける装着具４を示す図である。この装着具は、紙を綴じるクリップを収納し、開口部を紙に当てて押し出して紙を綴じる紙綴具の原理を応用したものであるが、光ファイバケーブルなどにケーブル識別具の開口部を押しつけてケーブルに取り付けるための構造に特徴がある。
【００２７】
図３（ａ）は装着具４を上面からみた図であり、図３（ｂ）は正面を横からみた図であり、図３（ｃ）は裏面からみた図、図３（ｄ）は後ろからみた図、図３（ｅ）は、中央断面を示す図である。
【００２８】
この装着具の先端部は、ケーブル識別具１を取り付けるケーブル３を動かないように規制する規制構造が設けられ、この動かないようにしたケーブルに対してケーブル識別具１の開口部を対向させてケーブル識別具１を押し出す押し出し機構が設けられている。また、装着具の後ろからケーブル識別具１をその開口部が先頭になるように順次挿入する挿入口が設けられており、この挿入口から使用するケーブル識別具を複数個挿入して収納する収納部が設けられている。ケーブル識別具は順次収納されて、先頭のケーブル識別具が押し出し機構によりケーブルに押しつけられる構成となっている。
【００２９】
次に図４に、この装着具の先端構造を示して、ケーブルの固定とケーブル識別具のケーブルへの取付け動作を説明する。図４（ａ）は取付け前の状態、図４（ｂ）は取付けた状態、図４（ｃ）は（ｂ）の状態を上からみた図である。
【００３０】
図３（ａ）および（ｂ）に示すように、装着具の先端の左右には、ケーブルを固定するためのケーブル径に対応する径をもつ曲面の溝が設けられた爪形状が設けられ、ここに、ケーブルを掛けわたして、押し出し機構により押し出されるケーブル識別具の開口部に対向させる形態となる。また、先端の左右の曲面の溝に向けて、図４（ａ）に示されるように、ケーブルを掛けわたして固定するときに傾斜に沿ってケーブルをはめ込み易くし、かつ、ケーブル識別具を取り付けたケーブルが押し戻されたときにケーブルが外れ易くするためにスロープ状の形状が設けられている。さらに先端部には、ケーブルを掛けわたしたときに、ケーブル全体を覆って、装着具の先端部の表面にはケーブルが現れないようにカバーが設けられている。そして、中央はケーブル識別具が押し込まれることができる空間と、ケーブル識別具が押し込まれたときにケーブルが動かないように規制する板状の突起が設けられている。
【００３１】
図４に示されるように、カバー５１は、固定されたケーブルを覆うように装着具の先端表面に形成されており、ケーブルが露出しないような長さに形成されている。ケーブルが動かないように突出して規制する板状突起５２は、その厚さがケーブルの径より薄く形成されており、押し出されるケーブル識別具がケーブルと嵌まり合うことができる。また、カバー５１と板状突起５２との間には、ケーブル識別具の表面側が入ることができる空間５３が形成されており、また板状突起５２の下側には、ケーブル識別具の裏面部が入ることができる空間５４が形成されている。このように先端部の内側は中央部の板状突起５２の上下に、押し出されてケーブルを挟み込んだケーブル識別具の先が入ることができる空間５３、５４が形成されており、装着具先端の左右端はそれぞれケーブル径に対応した溝が形成された構造となっている。この構造により、ケーブル識別具を押し出して動かないように固定されたケーブルに取り付けることができる。
【００３２】
次に、押し出されてケーブルに取付けられたケーブル識別具をバネ機構により押し戻す構成について図５を用いて説明する。
【００３３】
ケーブル識別具を先端部に固定されたケーブルに押し出してケーブルに取り付けたとき、押し出し機構を戻すと、自動的にケーブル識別具とケーブルとが押し戻されて取り出され易くすることがよい。このため、本実施例では、先端部にバネ機構を設けて押し出されたケーブル識別具を押し戻す構成としている。
【００３４】
バネ機構は、図４および図５に示すように、先端が折り曲げられ、空間５４内に立設する当て板６１が形成され、装着具の右側底部に設けられたガイド用の溝内を摺動するガイドレールが形成されたレバー６０を装着具の先端下部に設け、これをバネ７０により弾性機能をもたせて、ケーブル識別具が押し込まれたときには、当て板６１がケーブル識別具の下側に押されて空間５４内を移動し、押し出しが解除されると、ケーブル識別具を押し戻す構造である。これによりケーブルに取付けられたケーブル識別具は先端部の空間から押し戻されて、ケーブルから装着具を外すことができる。
【００３５】
なお、この押し戻し機構は、レバーとバネを用いる構成としたが、空間５４内に弾性体となる板状のバネを設けて押し込まれたケーブル識別具に押し戻し力を与える構成でもよい。また、装着具の右側にのみバネを設けて押し戻し力を与える構成としたが、左右両側にレバーにバネをつけた構成としてもよい。
【００３６】
なお、この装着具の内部は、長手方向にケーブル識別具を収納する収納部が設けられており、後ろ側に設けた挿入口からケーブル識別具を開口部を前にして挿入する。この収納部の内部には、ケーブル識別具の裏面に形成された溝１２１、１２２に嵌まりあう凸状のレールが形成されている。このようにケーブル識別具の非対称に形成された溝に対応したレールを設けることで、ケーブル識別具を収容するときに、開口部が先頭に現れ、内部で回転しないようにすることができ、また挿入時に表裏面や左右方向を誤ることがない。また、収納部の先頭と後部とには、挿入するケーブル識別具１を収納部内に止める板バネが設けられている。この板バネは、図３（ｃ）あるいは（ａ）に二つのコ字形状のバネとして示されている。この構造によりケーブル識別具を挿入口から押し込むとその板バネの弾性により、押されて挿入口からは出てこない構造となり、また先頭部は押し出し機構を操作しなければケーブル識別具が、先端部に押し出されないようになっている。なお、このようなケーブル識別具を収納部に格納する挿入口の構造としては、ケーブル識別具の大きさに対してクリアランスをゼロとし、ケーブル識別具を押し込んだときに、内部のケーブル識別具が出てこない挿入口の構造とすることも可能である。
【００３７】
なお、本実施例では、レールを凸状のものとしたが、ケーブル識別具の裏面に凸状のレールを設けたときは、対応して凹部をもつ溝を形成することができる。
【００３８】
図６に、この装着具の先頭にケーブル３を当てて固定し、ケーブル識別具を押し出してケーブルに装着する様子を示す。
【産業上の利用可能性】
【００３９】
本発明により、光ファイバケーブルの集線作業の効率を向上させることができる。このため、特に光ファイバ加入者線の普及、利用を図ることができる。
【図面の簡単な説明】
【００４０】
【図１】本発明実施例のケーブル識別具を説明する図。
【図２】ケーブル識別具をケーブルに取付けた状態を示す図。
【図３】装着具を示す図。
【図４】装着図の先端の断面を示す図。
【図５】押し戻し機構を説明する図。
【図６】装着具にケーブルを固定した状態を示す図。
【符号の説明】
【００４１】
１  ケーブル識別具
２  溝
３  ケーブル
４  装着具
１１  表面
１２  裏面
１２１、１２２  溝
２１、２２  テーパ
２３、２４  凹部
５１  カバー
５２  板状突起
５３、５４  空間
６０  レバー
６１  当て板
７０  バネ
【図１】
2005135699.tif 000003
【図２】
2005135699.tif 000004
【図３】
2005135699.tif 000005
【図４】
2005135699.tif 000006
【図５】
2005135699.tif 000007
【図６】
2005135699.tif 000008